(57)【要約】【課題】超音波加工では熱融着できない素材からなる場合においても、超音波による熱融着を可能ならしめ、両衣料素材の各接合端縁部を極めて簡単かつ容易に熱融着することができるようにする。また、その製造方法を適用することにより、無縫製衣料を安価に提供する。【解決手段】超音波加工では熱融着不可能な２枚の衣料素材１、２の表面を互いに対向させて重ね合わせ、両衣料素材１、２の各接合端縁部１ａ、２ａ間に溶着性芯地３を挟み込み、その状態で前記２枚の衣料素材１、２と前記溶着性芯地３とを超音波加工により溶断する。そして、溶断後の２枚の衣料素材１、２間に残った溶着性芯地３に対して、溶断後の前記２枚の衣料素材１、２を両サイドへ開き、開いている前記２枚の衣料素材１、２の表面からはみ出した前記溶着性芯地３を除去する。【選択図】図１
2011047066.tif 000002
【特許請求の範囲】
【請求項１】
超音波加工では熱融着不可能な２枚の衣料素材１、２の表面を互いに対向させて重ね合わせ、両衣料素材１、２の各接合端縁部１ａ、２ａ間に溶着性芯地３を挟み込み、その状態で前記２枚の衣料素材１、２と前記溶着性芯地３とを超音波加工により溶断し、溶断後の２枚の衣料素材１、２間に残った溶着性芯地３に対して、溶断後の前記２枚の衣料素材１、２を両サイドへ開き、開いている前記２枚の衣料素材１、２の表面からはみ出した前記溶着性芯地３を除去することを特徴とする無縫製衣料の製造方法。
【請求項２】
溶着性芯地３を引き千切ることにより、溶着性芯地３を除去することを特徴とする請求項１記載の無縫製衣料の製造方法。
【請求項３】
溶着性芯地３がポリアミド系の不織布であることを特徴とする請求項１又は２記載の無縫製衣料の製造方法。
【請求項４】
溶着性芯地３を除去した後の開いている２枚の衣料素材１、２の各接合端縁部１ａ、２ａに跨るように、補強テープ４を２枚の衣料素材１、２の裏面側から重ね合わせ、加熱手段により当該補強テープ４の一部を溶融して前記２枚の衣料素材１、２の各接合端縁部１ａ、２ａに融着することを特徴とする請求項１記載の無縫製衣料の製造方法。
【請求項５】
超音波加工では熱融着不可能な２枚の衣料素材１、２の表面を互いに対向させて重ね合わせ、両衣料素材１、２の各接合端縁部１ａ、２ａ間に溶着性芯地３を挟み込んだ状態で、前記２枚の衣料素材１、２と前記溶着性芯地３とが溶断されており、溶断後の２枚の衣料素材１、２間に残った溶着性芯地３に対して、溶断後の前記２枚の衣料素材１、２を両サイドへ開いた状態で、前記２枚の衣料素材１、２の表面からはみ出した前記溶着性芯地３が除去され、前記２枚の衣料素材１、２が接合されていることを特徴とする無縫製衣料。
【請求項６】
溶着性芯地３が除去された後の開いている２枚の衣料素材１、２の各接合端縁部１ａ、２ａに跨るように、補強テープ４が２枚の衣料素材１、２の裏面側から重ね合わされ、当該補強テープ４の一部が加熱手段により溶融されて前記２枚の衣料素材１、２の各接合端縁部１ａ、２ａに融着せしめられていることを特徴とする請求項５記載の無縫製衣料。
【請求項７】
補強テープ４は、弾性フィルムを芯層とし、２枚の衣料素材１、２の裏面と当接する面にホットメルト樹脂が積層され、補強テープ４の幅方向には伸縮しない織編物が他の面に積層された構成とすることを特徴とする請求項６記載の無縫製衣料。
【発明の詳細な説明】
【技術分野】
【０００１】
本発明は、超音波では熱融着不可能な素材からなるアンダーシャツ、トランクス、ブリーフなどのインナーウェア類、ポロシャツ、ブラウス、ドレスシャツなどのアウターウェア類、ジーンズその他のズボン類、消防服などの特殊耐熱素材からなる衣料であって、糸と針を用いて縫製する方式を採らないで製造される無縫製衣料の製造方法及びその方法により製造された無縫製衣料に関するものである。
【背景技術】
【０００２】
前記衣料の最も一般的な製造方法は、オーバーロックミシンにより糸と針を用いて縫製する方式である。
【０００３】
ところが、近年、衣料の端部の全部又は一部を糸や針を用いて縫製する方式を採らないで製造することが多数提案されるようになった（例えば、特許文献１参照）。
【先行技術文献】
【特許文献】
【０００４】
【特許文献１】特開２００６−２３２６号公報
【発明の概要】
【発明が解決しようとする課題】
【０００５】
ここに提案されている衣料の素材は熱可塑性繊維である。ガーメントが熱可塑性繊維であれば、当然超音波加工により熱融着することが可能であるから、２枚の衣料素材の接合端縁部を相互に熱融着することは容易い。
【０００６】
しかしながら、ガーメントが例えば１００％セルロース系繊維やＴ／Ｃ素材（テトロンよりコットン含有率の大きい素材）あるいは耐熱性素材（カーボン、ガラス繊維を含有する素材）のように、超音波加工では熱融着できない素材からなる場合には、超音波による熱融着は不可能である。
【０００７】
本発明は、このような素材の場合においても、超音波による熱融着を可能ならしめ、両衣料素材の各接合端縁部を極めて簡単かつ容易に熱融着することができるようにするとともに、その製造方法を適用することにより、無縫製衣料を安価に提供することを目的とするものである。
【課題を解決するための手段】
【０００８】
この目的を達成するために、本発明では、超音波加工では熱融着不可能な２枚の衣料素材１、２の表面を互いに対向させて重ね合わせ、両衣料素材１、２の各接合端縁部１ａ、２ａ間に溶着性芯地３を挟み込み、その状態で前記２枚の衣料素材１、２と前記溶着性芯地３とを超音波加工により溶断する。そして、溶断後の２枚の衣料素材１、２間に残った溶着性芯地３に対して、溶断後の前記２枚の衣料素材１、２を両サイドへ開き、開いている前記２枚の衣料素材１、２の表面からはみ出した前記溶着性芯地３を除去する。
【０００９】
本発明による製造方法において最も重要な工程とは、開いている前記２枚の衣料素材１、２の表面からはみ出した前記溶着性芯地３を除去することである。超音波加工による前記溶断時において、開いている前記２枚の衣料素材１、２の表面からはみ出している溶着性芯地３の下側においては、両衣料素材１、２の各接合端縁部１ａ、２ａにおける突合せの隙間に前記溶着性芯地３の一部が溶融して流れ込み、その部分で固化しているので、それより上側の両衣料素材１、２の表面からはみ出している溶着性芯地３を除去することができる。
【００１０】
この場合において、両衣料素材１、２の表面からはみ出している溶着性芯地３を除去しても、２枚の衣料素材１、２の接合部では段差がなく、同一面で接合された状態を保持する。したがって、超音波加工では熱融着不可能な２枚の衣料素材１、２を段差なくフラットな状態に接合することができる。
【００１１】
この製造方法によれば、超音波加工では熱融着不可能な２枚の衣料素材１、２の接合端縁部１ａ、２ａを、極めて簡単かつ容易に熱融着することができ、しかも、２枚の衣料素材１、２の接合部においては全く段差のないフラットな状態とすることができる。
【００１２】
溶着性芯地３を引き千切ることにより、溶着性芯地３を除去するのが望ましい。この手法を採ると、最も手間を要しない簡単な方法で溶着性芯地３を除去することができる。ピンセットのような器具を用いて行うこともできる。また、ノズル付きバキューム機を用いて行うこともできる。
【００１３】
溶着性芯地３をポリアミド系の不織布とすることが望ましい。溶着性芯地３をポリアミド系の不織布とした場合には、一方向へ簡単に引き千切ることができるので、溶着性芯地３を除去するのに極めて有利である。
【００１４】
溶着性芯地３を除去した後の開いている２枚の衣料素材１、２の各接合端縁部１ａ、２ａに跨るように、補強テープ４を２枚の衣料素材１、２の裏面側から重ね合わせ、加熱手段により当該補強テープ４の一部を溶融して前記２枚の衣料素材１、２の各接合端縁部１ａ、２ａに融着することが望ましい。このようにすると、２枚の衣料素材１、２の各接合部を補強テープ４で裏面側から保護することができるのみならず、全く段差のないよりフラットな状態とすることができる。
【００１５】
一方、本発明による無縫製衣料は、超音波加工では熱融着不可能な２枚の衣料素材１、２の表面を互いに対向させて重ね合わせ、両衣料素材１、２の各接合端縁部１ａ、２ａ間に溶着性芯地３を挟み込んだ状態で、前記２枚の衣料素材１、２と前記溶着性芯地３とが溶断されており、溶断後の２枚の衣料素材１、２間に残った溶着性芯地３に対して、溶断後の前記２枚の衣料素材１、２を両サイドへ開いた状態で、前記２枚の衣料素材１、２の表面からはみ出した前記溶着性芯地３が除去され、前記２枚の衣料素材１、２が接合されていることを特徴とするものである。
【００１６】
この無縫製衣料によれば、２枚の衣料素材１、２の接合部においては全く段差のないフラットな状態となるから、着用者がたとえ皮膚の弱い人であっても肌に優しく、肌荒れ防止効能を発揮することができる。
【００１７】
溶着性芯地３が除去された後の開いている２枚の衣料素材１、２の各接合端縁部１ａ、２ａに跨るように、補強テープ４が２枚の衣料素材１、２の裏面側から重ね合わされ、当該補強テープ４の一部が加熱手段により溶融されて前記２枚の衣料素材１、２の各接合端縁部１ａ、２ａに融着せしめられているものとするのが望ましい。
このようにすると、２枚の衣料素材１、２の各接合部が補強テープ４で裏面側から保護されるのみならず、全く段差のないよりフラットな状態となるから、着用者がたとえ皮膚の弱い人であっても肌に特別優しく、肌荒れ防止効能を十二分に発揮することができる。
【００１８】
補強テープ４は、弾性フィルムを芯層とし、２枚の衣料素材１、２の裏面と当接する面にホットメルト樹脂が積層され、補強テープ４の幅方向には伸縮しない織編物が他の面に積層された構成とすることができる。
このような補強テープ４を用いると、無縫製衣料の２枚の衣料素材１、２の接合部において、当該接合部に位置する補強テープ４の長手方向に相当する方向への伸縮性は残したまま、補強テープ４の幅方向に相当する方向への伸縮性を極力抑えることができるので、無縫製衣料の２枚の衣料素材１、２の接合部に隙間ができるのを抑えることができる。
【発明の効果】
【００１９】
請求項１記載の発明によれば、超音波加工では熱融着不可能な２枚の衣料素材１、２の接合端縁部１ａ、２ａを、極めて簡単かつ容易に熱融着することができ、しかも、２枚の衣料素材１、２の接合部においては全く段差のないフラットな状態とすることができる。
【００２０】
請求項２記載の発明によれば、最も手間を要しない簡単な方法で溶着性芯地３’を除去することができる。
【００２１】
請求項３記載の発明によれば、一方向へ簡単に引き千切ることができるので、溶着性芯地３’を除去するのに極めて有利である。
【００２２】
請求項４記載の発明によれば、２枚の衣料素材１、２の各接合部を補強テープ４で裏面側から保護することができるのみならず、全く段差のないよりフラットな状態とすることができる。
【００２３】
請求項５記載の無縫製衣料によれば、２枚の衣料素材１、２の接合部においては全く段差のないフラットな状態となるから、着用者がたとえ皮膚の弱い人であっても肌に優しく、肌荒れ防止効能を発揮することができる。
【００２４】
請求項６記載の無縫製衣料によれば、２枚の衣料素材１、２の各接合部が補強テープ４で裏面側から保護されるのみならず、全く段差のないよりフラットな状態となるから、着用者がたとえ皮膚の弱い人であっても肌に特別優しく、肌荒れ防止効能を十二分に発揮することができる。
【００２５】
請求項７記載の無縫製衣料によれば、無縫製衣料の２枚の衣料素材１、２の接合部において、当該接合部に位置する補強テープ４の長手方向に相当する方向への伸縮性は残したまま、補強テープ４の幅方向に相当する方向への伸縮性を極力抑えることができるので、無縫製衣料の２枚の衣料素材１、２の接合部に隙間ができるのを抑えることができる。
【図面の簡単な説明】
【００２６】
【図１】本発明による無縫製衣料の製造方法の一例を、工程順に示す断面図である。
【図２】本発明の製造方法を適用して製造されたアンダーシャツの一例を示す正面図である。
【図３】本発明の製造方法を適用して製造されたアンダーシャツの一例を示す背面図である。
【図４】溶着性芯地を除去した後の開いている２枚の衣料素材の各接合端縁部に跨るように、２枚の衣料素材の裏面側から重ね合わせる補強テープの一例を示す拡大断面図である。
【図５】本発明の製造方法を適用して製造されたアンダーシャツの接合部において、２枚の衣料素材と当該接合部に位置する補強テープの伸縮性を説明するための平面図である。
【発明を実施するための形態】
【００２７】
本発明による無縫製衣料の製造方法の一例と、その方法により製造された無縫製衣料の一例について、図面を参照しながら詳細に説明する。
【００２８】
無縫製とは、通常の糸と針を用いて縫製する方式を採らないで製造することをいい、その方式により製造された衣料が無縫製衣料である。
従来、この方式により製造される無縫製衣料は、超音波加工により熱融着することが可能な熱可塑性繊維からなる生地が用いられているが、本発明においては、超音波加工では熱融着不可能な素材を用いた場合においても、超音波による熱融着を可能ならしめたものである。
【００２９】
本発明は、超音波加工では熱融着不可能な２枚の衣料素材１、２の接合端縁部１ａ、２ａを極めて簡単かつ容易に熱融着することができるようにするとともに、その製造方法を適用することにより、無縫製衣料を安価に提供しようとするものである。
超音波加工では熱融着不可能な素材としては、例えば１００％セルロース系繊維やＴ／Ｃ素材（テトロンよりコットン含有率の大きい素材）あるいは耐熱性素材（カーボン、ガラス繊維を含有する素材）などが挙げられ、このような素材を用いた場合においても、超音波による熱融着を可能ならしめたものである。
【００３０】
このような素材を用いた場合においては、図１(a)に示すように、２枚の衣料素材１、２の表面１ｂ、２ｂを互いに対向させて重ね合わせ、両衣料素材１、２の各接合端縁部１ａ、２ａ間に溶着性芯地３を挟み込み、その状態で前記２枚の衣料素材１、２と前記溶着性芯地３とを、図１(b)の矢印で示すように超音波加工により溶断する。この溶断による前記２枚の衣料素材１、２と前記溶着性芯地３との溶断面は、溶着された状態となっており、いわゆる仮止め状態ということができる。なお、図１(b)の矢印より右側の部分は残余片として取り除く。
【００３１】
そして、図１(c)の矢印で示すように、溶断後の２枚の衣料素材１、２間に残った溶着性芯地３に対して、溶断後の前記２枚の衣料素材１、２を両サイドへ開く。すると、図１(d)に示すように、開いている前記２枚の衣料素材１、２の表面１ｂ、２ｂから溶着性芯地３がはみ出した状態となる。
【００３２】
そこで、図１(e)に示すように、衣料素材１、２の表面からはみ出している前記溶着性芯地３を除去する。超音波加工による前記溶断時において、開いている前記２枚の衣料素材１、２の表面からはみ出している溶着性芯地３の下側においては、両衣料素材１、２の各接合端縁部１ａ、２ａにおける突合せの隙間に前記溶着性芯地３の一部が溶融して流れ込み、図１(d)の網掛けで示すようにその部分で固化しているので、それより上側の両衣料素材１、２の表面からはみ出している溶着性芯地３を除去することができる。
【００３３】
両衣料素材１、２の表面からはみ出しているこの溶着性芯地３を除去しても、２枚の衣料素材１、２の接合部では図１(e)に示すように段差がなく、同一面で接合された状態を保持する。したがって、超音波加工では熱融着不可能な２枚の衣料素材１、２を段差なくフラットな状態に接合することができる。
【００３４】
溶着性芯地３を除去するには、引き千切るのが最良の方法である。この手法を採ると、最も手間を要しない簡単な方法で溶着性芯地３を除去することができる。ピンセットのような器具を用いて行うこともできる。また、ノズル付きバキューム機を用いて行うこともできる。
【００３５】
溶着性芯地３として最も好ましいのは、ポリアミド系の不織布である。溶着性芯地３をこの素材からなるものとすると、一方向へ簡単に引き千切ることができるので、溶着性芯地３を除去するのに極めて有利である。
【００３６】
なお、超音波加工による前記溶断により、前記２枚の衣料素材１、２と前記溶着性芯地３との溶断面が仮止め状態としての接着強度を保ち得るようにするためには、ポリアミド系の樹脂を適量目付けすることが望ましい。また、この場合の目付量は衣料素材１、２の材質により変えることが好ましい。
【００３７】
ここには、図１(f)に示すように、溶着性芯地３を除去した後の開いている２枚の衣料素材１、２の各接合端縁部１ａ、２ａに跨るように、補強テープ４を２枚の衣料素材１、２の裏面側から重ね合わせ、加熱手段により当該補強テープ４の一部を溶融して前記２枚の衣料素材１、２の各接合端縁部１ａ、２ａに融着する場合が例示されている。このようにすると、２枚の衣料素材１、２の各接合部を補強テープ４で裏面側から保護することができるのみならず、全く段差のないよりフラットな状態とすることができる。前記補強テープ４を多層とし、２枚の衣料素材１、２の裏面と当接する面にホットメルト樹脂を積層しておけば、加熱手段により当該ホットメルト樹脂を溶融して前記２枚の衣料素材１、２の各接合端縁部１ａ、２ａに融着することができる。
【００３８】
ここに示す無縫製衣料Ｓは、超音波加工では熱融着不可能な２枚の衣料素材１、２の表面を互いに対向させて重ね合わせ、両衣料素材１、２の各接合端縁部１ａ、２ａ間に溶着性芯地３を挟み込んだ状態で、前記２枚の衣料素材１、２と前記溶着性芯地３とが溶断されたものである。そして、溶断後の２枚の衣料素材１、２間に残った溶着性芯地３に対して、溶断後の前記２枚の衣料素材１、２を両サイドへ開いた状態で、前記２枚の衣料素材１、２の表面からはみ出した前記溶着性芯地３が除去され、前記２枚の衣料素材１、２が接合されたものである。
【００３９】
この無縫製衣料Ｓによれば、図１(e)に示すように、２枚の衣料素材１、２の接合部においては全く段差のないフラットな状態となるから、着用者がたとえ皮膚の弱い人であっても肌に優しく、肌荒れ防止効能を発揮することができる。
【００４０】
溶着性芯地３が除去された後の開いている２枚の衣料素材１、２の各接合端縁部１ａ、２ａに跨るように、補強テープ４が２枚の衣料素材１、２の裏面側から重ね合わされ、当該補強テープ４の一部が加熱手段により溶融されて前記２枚の衣料素材１、２の各接合端縁部１ａ、２ａに融着せしめられている。
この無縫製衣料Ｓによれば、図１(f)に示すように、２枚の衣料素材１、２の各接合部が補強テープ４で裏面側から保護されるのみならず、全く段差のないよりフラットな状態となるから、着用者がたとえ皮膚の弱い人であっても肌に特別優しく、肌荒れ防止効能を十二分に発揮することができる。
【００４１】
２枚の衣料素材１、２の接合部としては、例えば、図２のｓ１で示す襟付け、図２のｓ２で示す肩山、図２及び図３のｓ３で示す袖付け、図２及び図３のｓ４で示す襟肩、図３の前身頃と後身頃の接合部分である裾口から腋の下を経て袖口に至るまでの部分ｓ５などを、一例として挙げることができる。そして、ここでは、これらの裏側において、各接合端縁部に跨るように補強テープ４が重ね合わせられ、加熱手段により当該補強テープ４の一部を溶融して前記２枚の衣料素材１、２の各接合端縁部に融着されている。
【００４２】
したがって、２枚の衣料素材１、２の各接合部ｓ１〜ｓ５が補強テープ４で裏面側から保護されるのみならず、全く段差のないよりフラットな状態となり、その結果、着用者がたとえ皮膚の弱い人であっても肌に特別優しく、肌荒れ防止効能を十二分に発揮することができる。
【００４３】
補強テープ４は、例えば図４に示すように、弾性フィルム４ａを芯層とし、２枚の衣料素材１、２の裏面と当接する面にホットメルト樹脂４ｂが積層され、補強テープ４の幅方向には伸縮しない織編物４ｃが他の面に積層された構成とすることができる。より具体的には、日清紡績株式会社製の接着テープを一例として挙げることができる。
このような補強テープ４を用いると、無縫製衣料Ｓの２枚の衣料素材１、２の各接合部ｓ１〜ｓ５において、当該接合部に位置する補強テープ４の長手方向に相当する方向への伸縮性は残したまま、補強テープ４の幅方向に相当する方向への伸縮性を極力抑えることができるので、無縫製衣料の２枚の衣料素材１、２の接合部に隙間ができるのを抑えることができる。
【００４４】
これを図５に基づいて説明する。前記補強テープ４の幅方向の伸縮性をａ、補強テープ４の長手方向の伸縮性をｂ、衣料素材１、２の横方向の伸縮性をＡ、衣料素材１、２の縦方向の伸縮性をＢとしたとき、補強テープ４の幅方向の伸縮性ａはゼロである。したがって、無縫製衣料Ｓの２枚の衣料素材１、２の各接合部ｓ１〜ｓ５において、当該接合部に位置する補強テープ４の長手方向に相当する方向への伸縮性Ｂは残したまま、補強テープ４の幅方向に相当する方向への伸縮性Ａを極力抑えることができるので、無縫製衣料の２枚の衣料素材１、２の各接合部ｓ１〜ｓ５に隙間ができるのを抑えることができる。
【００４５】
以上説明したように、本発明の製造方法によれば、超音波加工では熱融着不可能な２枚の衣料素材１、２の接合端縁部１ａ、２ａを、極めて簡単かつ容易に熱融着することができ、しかも、２枚の衣料素材１、２の接合部においては全く段差のないフラットな状態とすることができる。
【００４６】
また、この方法により製造された無縫製衣料Ｓによれば、２枚の衣料素材１、２の接合部においては全く段差のないフラットな状態となるから、着用者がたとえ皮膚の弱い人であっても肌に優しく、肌荒れ防止効能を発揮することができる極めて優れた無縫製衣料である。
【００４７】
なお、ここでは、図２及び図３に示すように、袖口及び裾口部分において当該衣料素材を内側に折り込み、その端縁部分５、６上に前記補強テープ４を重ね合わせ、加熱手段により当該補強テープ４の一部を溶融することにより、袖口及び裾口付近の裏側の衣料素材を押えている場合が例示されている。このようにすれば、内側に折り込まれた前記端縁部分５、６を補強テープ４で覆い隠されるので、当該接合部においては全く段差のないフラットな状態となる。
【符号の説明】
【００４８】
１、２…衣料素材、１ａ、２ａ…接合端縁部、１ｂ、２ｂ…表面、３…溶着性芯地、４…補強テープ、４ａ…弾性フィルム、４ｂ…ホットメルト樹脂、４ｃ…織編物、Ｓ…無縫製衣料。
【図１】
2011047066.tif 000003
【図２】
2011047066.tif 000004
【図３】
2011047066.tif 000005
【図４】
2011047066.tif 000006
【図５】
2011047066.tif 000007
【手続補正書】
【提出日】平成21年9月7日(2009.9.7)
【手続補正１】
【補正対象書類名】明細書
【補正対象項目名】００４３
【補正方法】変更
【補正の内容】
【００４３】
補強テープ４は、例えば図４に示すように、弾性フィルム４ａを芯層とし、２枚の衣料素材１、２の裏面と当接する面にホットメルト樹脂４ｂが積層され、補強テープ４の幅方向には伸縮しない織編物４ｃが他の面に積層された構成とすることができる。より具体的には、日清紡ケミカル株式会社製の接着テープを一例として挙げることができる。
このような補強テープ４を用いると、無縫製衣料Ｓの２枚の衣料素材１、２の各接合部ｓ１〜ｓ５において、当該接合部に位置する補強テープ４の長手方向に相当する方向への伸縮性は残したまま、補強テープ４の幅方向に相当する方向への伸縮性を極力抑えることができるので、無縫製衣料の２枚の衣料素材１、２の接合部に隙間ができるのを抑えることができる。